(57)【特許請求の範囲】
【請求項１】
底壁を有する絶縁基体と、前記底壁の一面から上方に突出した状態で前記底壁に取り付けられた少なくとも2個の固定接点と、この固定接点に接離可能な可動接点と、この可動接点を操作するための回動動作可能な操作部材とを備え、前記可動接点は、バネ性ある金属板が折り曲げられて形成され、開放部を設けて互いに前記金属板の板面が対向して配置された第1，第2の基部と、互いに間隔を置いて配置され、前記第1，第2の基部の上部を連結する第1，第2の連結部と、この第1，第2の連結部間に位置した状態で、互いに対向するように前記第1，第2の基部から上方に突出して設けられた少なくとも2個の第1，第2の接触部とを備え、前記固定接点は、前記第1，第2の基部間に位置する前記開放部と、前記第1，第2の接触部間に位置し、回動動作可能に保持された前記操作部材の操作によって、前記可動接点が前記固定接点の延びる方向に上下動して、前記第1，第2の接触部を介して2個の前記固定接点間をＯＮ、ＯＦＦするようにしたレバー型スイッチであって、前記底壁には、上方に突出して設けられた台座部と、該台座部の上面に設けられた凹部とを有し、該凹部に前記操作部材に設けられた支承部が係合され、前記操作部材が前記支承部を支点として回動動作可能となると共に、前記操作部材は、付勢部材によって常時付勢され、前記操作部材の操作時に、前記付勢部材によって前記操作部材が元の状態に復帰するようになっており、少なくとも2個の前記固定接点の内、一方の前記固定接点は、前記支承部の近傍に配置されると共に、他方の前記固定接点は、前記支承部から遠い位置に配置され、前記可動接点は、前記第1、第2の連結部が、互いに間隔を置いて独立状態でそれぞれU字状に折り曲げられて形成されると共に、前記第1，第2の連結部間に画成される孔内には、U字状の前記第1、第2の連結部にて上部が連結された前記第1、第2の基部から突出して設けられた前記第1、第2の接触部が配置され、前記第1、第2の基部が、前記第1、第2の接触部及びU字状の前記第1、第2の連結部の頂部よりも前記庭壁に近い位置に配置されており、前記固定接点は、前記絶縁基体の前記庭壁から前記可動接点の前記第1、第2の基部間に位置する前記開放部を通って前記第1、第2の接触部に至るように延設されており、前記操作部材の回動操作に伴って、前記可動接点の第1、第2の接触部を突出させている前記第1、第2の基部間の前記開放部側から、前記第1、第2の連結部の頂部側に位置する前記第1、第2の接触部に至って、前記第1、第2の連結部の頂部間を、前記支承部の遠い位置に配置された他方の前記固定接点の先端が突き抜けるように、前記可動接点が前記固定接点の延びる方向に上下動して、前記第1、第2の接触部を介して2個の前記固定接点間をＯＮ、ＯＦＦするようにしたことを特徴とするレバー型スイッチ。
【請求項２】
前記操作部材の下部には、前記可動接点を収容するための収容部と、前記可動接点を掛け止めするための支持部が設けられ、前記可動接点は、前記収容部に収容された状態で、前記支持部に掛け止めされて前記操作部材に取り付けられたことを特徴とする請求項1記載のレバー型スイッチ。
【請求項３】
前記操作部材の下部には肩部を有し、この肩部が前記可動接点の前記連結部の頂部を押圧するようにしたことを特徴とする請求項2記載のレバー型スイッチ。
【請求項４】
前記操作部材の下部には、捻りコイルバネからなる前記付勢部材を収納するための収納部が設けられ、この収納部に収納された前記捻りコイルバネの一端側が前記底壁に弾接すると共に、前記捻りコイルバネの他端側が前記操作部材に弾接したことを特徴とする請求項1から3の何れかに記載のレバー型スイッチ。
【請求項５】
高さの高い前記固定接点と、高さの低い前記固定接点という、高さの異なる２個の前記固定接点を有したことを特徴とする請求項１から4の何れかに記載のレバー型スイッチ。
【請求項６】
前記操作部材は、前記支承部の一端側から横方向に延びる扇状の操作部を有し、前記操作部材を取り付けるためのカバーが前記絶縁基体に取り付けられると共に、前記カバーに設けられた孔から前記操作部が外方に突出したことを特徴とする請求項1から5の何れかに記載のレバー型スイッチ。
【請求項７】
前記操作部材の上部が前記カバーの内面に当接して、前記操作部材が前記絶縁基体と前記カバーとで挟持されて、回動動作可能に保持されたことを特徴とする請求項6記載のレバー型スイッチ。
【発明の詳細な説明】
【０００１】
【発明の属する技術分野】
本発明は携帯電話機等の電気機器に使用して好適なレバー型スイッチに関する。
【０００２】
【従来の技術】
従来のシーソー型スイッチの図面を例に説明すると、図８は従来のシーソー型スイッチの要部断面図、図９は従来のシーソー型スイッチの動作を示す断面図、図１０は図９の１０−１０線における断面図である。
【０００３】
次に、従来のシーソー型スイッチの構成を図８〜図１０に基づいて説明すると、絶縁基体５１の底壁５１ａには、金属板からなる２個の固定接点５２が取り付けられると共に、固定接点５２の接点部５２ａが底壁５１ａの一面から上方に突出して配置されている。
【０００４】
金属板が折り曲げられて形成されたカバー５３は、直方体状の箱形をなし、四角状の上面板５３ａと、上面板５３ａの４辺から下方に折り曲げられた４つの側面板５３ｂと、上面板５３ａに形成された矩形状の孔５３ｃと、側面板５３ｂからカバー５３内に突出して形成されたストッパー部５３ｄと、対向する側面板５３ｂに設けられた孔５３ｅと、側面板５３ｂの下端部に設けられた複数の爪部５３ｆとを有する。
【０００５】
そして、このカバー５３の下部には、下部の開放部を塞ぐように絶縁基体５１が配置され、爪部５３ｆが折り曲げされて、絶縁基体５１がカバー５３に取り付けられている。
【０００６】
絶縁材からなるスライド体５４は、上部に設けられた凹部５４ａと、下部に設けられた収納部５４ｂとを有し、このスライド体５４は、絶縁基体５１上に載置された状態で、カバー５３内に収納されて、横方向に移動可能となっている。
【０００７】
バネ性ある金属板が折り曲げられて形成された可動接点５５は、平板状の基部５５ａと、この基部５５ａの両側部から互いに対向して下方に折り曲げ形成されて、クリップ状をなした２個の第１，第２の接触部５５ｂ、５５ｃとを有する。
【０００８】
この可動接点５５は、基部５５ａを上方にした状態で、スライド体５４の収納部５４ｂに収納され、スライド体５４によって横方向に可動されるようになっている。
【０００９】
そして、可動接点５５は、図８に示すように、２個の第１，第２の接触部５５ｂ、５５ｃが２個の固定接点５２に接触していないＯＦＦ状態から、図９に示すように、２個の第１，第２の接触部５５ｂ、５５ｃが２個の固定接点５２に接触したＯＮ状態の時、第１，第２の接触部５５ｂ、５５ｃは、第１，第２の接触部５５ｂ、５５ｃの延びる方向に対して直交する方向に移動し、固定接点５２の接点部５２ａを挟持して、接点部５２ａに接触するようになっている。
【００１０】
即ち、可動接点５５は、第１，第２の接触部５５ｂ、５５ｃが基部５５ａよりも底壁５１ａに近い位置に配置され、固定接点５２が第１，第２の接触部５５ｂ、５５ｃに至るように延びた状態となっている。
【００１１】
絶縁材の成型品で形成された操作部材５６は、中心部に設けられた貫通孔５６ａと、この貫通孔５６ａの一方側に設けられた略扇状の第１の操作部５６ｂと、貫通孔５６ａの他方側に設けられた矩形状の第２の操作部５６ｃと、下部の中央部から下方に突出した作動部５６ｄとを有する。
【００１２】
そして、支持棒５７がカバー５３の孔５３ｅと操作部材５６の貫通孔５６ａに挿通され、支持棒５７の端部がカシメられて、操作部材５６が支持棒５７を介してカバー５３にシーソー動作可能に取り付けられている。
この時、作動部５６ｄは、スライド体５４の凹部５４ａに係合し、操作部材５６の下部には、ストッパー部５３ｄが対向すると共に、第１、第２の操作部５６ｂ、５６ｃが孔５３ｃから上方に突出した状態となっている。
【００１３】
次に、このような一回路切換の構成を有する従来のシーソー型スイッチの動作を説明すると、操作部材５６の未作動時においては、図８に示すように、２個の固定接点５２間がＯＦＦの状態で、第１の操作部５６ｂが外方に突出すると共に、第２の操作部５６ｃの下部がストッパー部５３ｄにぶつかった状態となっている。
【００１４】
この状態で、第１の操作部５６ｂを矢印Ａ１方向に押圧すると、操作部材５６は支持棒５７を支点としてシーソ動作を行い、図９，図１０に示すように、スライド体５４が作動部５６ｄによって横方向に可動されると共に、可動接点５５も横方向に可動し、その結果、可動接点５５の２個の第１，第２の接触部５５ｂ、５５ｃがそれぞれ２個の固定接点５２に接触して、固定接点５２間がＯＮ状態となる。
【００１５】
この時、第２の操作部５６ｃは、ストッパー部５３ｄから離れると共に、第２の操作部５６ｃが孔５３ｃから外方に突出した状態となる。
次に、図９の状態で、第２の操作部５６ｃを矢印Ａ２方向に押圧すると、操作部材５６は支持棒５７を支点としてシーソ動作を行い、図８に示すように、第２の操作部５６ｃがストッパー部５３ｄにぶつかって、操作部材５６の動作が停止する。
【００１６】
その間において、図８に示すように、スライド体５４が作動部５６ｄによって横方向に可動されると共に、可動接点５５も横方向に可動し、その結果、可動接点５５の２個の第１，第２の接触部５５ｂ、５５ｃは、２個の固定接点５２から離れて非接触状態となって、固定接点５２間がＯＦＦ状態となる。
このようにしてシーソー型スイッチの操作が行われる。
【００１７】
【発明が解決しようとする課題】
従来のシーソー型スイッチは、スライド体５４と可動接点５５が横方向に可動するため、横方向に大型になるという問題がある。
また、スライド体５４を必要とし、部品点数が多くなって、コスト高で、生産性が悪くなるという問題がある。
また、スイッチのＯＦＦ時、可動接点５５の第１，第２の接触部５５ｂ、５５ｃが２個の固定接点５２間に位置した状態となって、可動接点５５と固定接点５２との間が間隔が小さくなり、耐電圧が低くなるという問題がある。
また、可動接点５５は、第１，第２の接触部５５ｂ、５５ｃの延びる方向に対して直交する方向に移動して、固定接点５２を挟持するため、固定接点５２への第１，第２の接触部５５ｂ、５５ｃによる挟持がスムースにできず、第１，第２の接触部５５ｂ、５５ｃに変形を生じると問題がある。
また、操作部材５５は、支持棒５７でカバー５３に取り付けられるため、積み重ね方式による組立ができず、組立性が悪くなるという問題がある。
また、操作部材５６は、支持棒５７を中心として左右に延びる第１，第２の操作部５６ａを有するため、横方向に大型になるという問題がある。
【００１８】
そこで、本発明は横方向に小型で、安価で生産性の良好なレバー型スイッチを提供することを目的とする。
【0019】
【課題を解決するための手段】
上記課題を解決するための第1の解決手段として、底壁を有する絶縁基体と、前記底壁の一面から上方に突出した状態で前記底壁に取り付けられた少なくとも2個の固定接点と、この固定接点に接離可能な可動接点と、この可動接点を操作するための回動動作可能な操作部材とを備え、前記可動接点は、バネ性ある金属板が折り曲げられて形成され、開放部を設けて互いに前記金属板の板面が対向して配置された第1，第2の基部と、互いに間隔を置いて配置され、前記第1，第2の基部の上部を連結する第1，第2の連結部と、この第1，第2の連結部間に位置した状態で、互いに対向するように前記第1，第2の基部から上方に突出して設けられた少なくとも2個の第1，第2の接触部とを備え、前記固定接点は、前記第1，第2の基部間に位置する前記開放部と、前記第1，第2の接触部間に位置し、回動動作可能に保持された前記操作部材の操作によって、前記可動接点が前記固定接点の延びる方向に上下動して、前記第1，第2の接触部を介して2個の前記固定接点間をＯＮ、ＯＦＦするようにしたレバー型スイッチであって、前記底壁には、上方に突出して設けられた台座部と、該台座部の上面に設けられた凹部とを有し、該凹部に前記操作部材に設けられた支承部が係合され、前記操作部材が前記支承部を支点として回動動作可能となると共に、前記操作部材は、付勢部材によって常時付勢され、前記操作部材の操作時に、前記付勢部材によって前記操作部材が元の状態に復帰するようになっており、少なくとも2個の前記固定接点の内、一方の前記固定接点は、前記支承部の近傍に配置されると共に、他方の前記固定接点は、前記支承部から遠い位置に配置され、前記可動接点は、前記第1、第2の連結部が、互いに間隔を置いて独立状態でそれぞれU字状に折り曲げられて形成されると共に、前記第1，第2の連結部間に画成される孔内には、U字状の前記第1、第2の連結部にて上部が連結された前記第1、第2の基部から突出して設けられた前記第1、第2の接触部が配置され、前記第1、第2の基部が、前記第1、第2の接触部及びU字状の前記第1、第2の連結部の頂部よりも前記庭壁に近い位置に配置されており、前記固定接点は、前記絶縁基体の前記庭壁から前記可動接点の前記第1、第2の基部間に位置する前記開放部を通って前記第1、第2の接触部に至るように延設されており、前記操作部材の回動操作に伴って、前記可動接点の第1、第2の接触部を突出させている前記第1、第2の基部間の前記開放部側から、前記第1、第2の連結部の頂部側に位置する前記第1、第2の接触部に至って、前記第1、第2の連結部の頂部間を、前記支承部の遠い位置に配置された他方の前記固定接点の先端が突き抜けるように、前記可動接点が前記固定接点の延びる方向に上下動して、前記第1、第2の接触部を介して2個の前記固定接点間をＯＮ、ＯＦＦする構成とした。
【００２１】
また、第2の解決手段として、前記操作部材の下部には、前記可動接点を収容するための収容部と、前記可動接点を掛け止めするための支持部が設けられ、前記可動接点は、前記収容部に収容された状態で、前記支持部に掛け止めされて前記操作部材に取り付けられた構成とした。
また、第3の解決手段として、前記操作部材の下部には肩部を有し、この肩部が前記可動接点の前記連結部の頂部を押圧するようにした構成とした。
【００２２】
また、第4の解決手段として、前記操作部材の下部には、捻りコイルバネからなる前記付勢部材を収納するための収納部が設けられ、この収納部に収納された前記捻りコイルバネの一端側が前記底壁に弾接すると共に、前記捻りコイルバネの他端側が前記操作部材に弾接した構成とした。
【００２３】
また、第5の解決手段として、高さの高い前記固定接点と、高さの低い前記固定接点という、高さの異なる２個の前記固定接点を有した構成とした。
【００２４】
また、第6の解決手段として、前記操作部材は、前記支承部の一端側から横方向に延びる扇状の操作部を有し、前記操作部材を取り付けるためのカバーが前記絶縁基体に取り付けられると共に、前記カバーに設けられた孔から前記操作部が外方に突出した構成とした。
【００２５】
また、第7の解決手段として、前記操作部材の上部が前記カバーの内面に当接して、前記操作部材が前記絶縁基体と前記カバーとで挟持されて、回動動作可能に保持された構成とした。
【００２６】
【発明の実施の形態】
本発明のレバー型スイッチの図面を説明すると、図１は本発明のレバー型スイッチに係り、絶縁基体を切り欠きした状態を示す分解斜視図、図２は本発明のレバー型スイッチに係り、カバーの上面板を取り去った状態を示す平面図、図３は本発明のレバー型スイッチに係り、操作部材の取付状態を示す要部断面図である。
【００２７】
また、図４は本発明のレバー型スイッチに係り、可動接点と付勢部材の取付状態を示す要部断面図、図５は本発明のレバー型スイッチに係り、操作部材の未操作状態を示す動作説明図、図６は本発明のレバー型スイッチに係り、操作部材を操作した状態を示す動作説明図、図７は本発明のレバー型スイッチの参考例に係り、可動接点の斜視図である。
【００２８】
次に、本発明のレバー型スイッチの構成を図１〜図６に基づいて説明すると、絶縁材の成型品からなる箱形をなした絶縁基体１は、矩形状の底壁１ａと、この底壁１ａの３つの辺から上方に延びる３つの側壁１ｂと、底壁１ａの上面から上方に突出する台座部１ｃと、この台座部１ｃの上面に設けられた円弧状の凹部１ｄと、対向する側壁１ｂの外周面に設けられた楔状の複数個の掛け止め部１ｅとを有する。
【００２９】
金属板からなる２個の固定接点２は、底壁１ａに埋設して取り付けられ、底壁１ａの一面（上面）から上方に突出して延びる接点部２ａと、側壁１ｂから外方に突出して延びる端子部２ｂとを有する。
そして、この２個の固定接点２の接点部２ａは、互いに底壁１ａから延びる高を異にし、高さの高い一方の固定接点２は、台座部１ｃの近傍に位置し、また、高さの低い他方の固定接点２は、台座部１ｃから遠い位置に配置されている。
【００３０】
金属板が折り曲げられて形成されたカバー３は、四角形状の上面板３ａと、上面板３ａの４辺から下方に折り曲げられた４つの側面板３ｂと、上面板３ａに形成された矩形状の孔３ｃと、対向する側面板３ｂの下端部から横方向に突出する係止片３ｄとを有する。
【００３１】
そして、このカバー３は、上面板３ａで絶縁基体１の上方開口部を覆うように、絶縁基体１の上方から被せながら、側面板３ｂを側壁１ｂの外周面に沿って下方に押し込むと、係止片３ｄが楔状の掛け止め部１ｅを乗り越えて、係止片３ｄが掛け止め部１ｅの下端部に掛け止めされて、カバー３が絶縁基体１に取り付けられる。
このカバー３が取り付けられた際、１つの側面板３ｂが絶縁基体１の側壁１ｂの存在しない箇所を覆うようになっている。
【００３２】
絶縁材の成型品で形成された操作部材４は、本体部４ａと、本体部４ａの下部に設けられた凹部からなる収容部４ｂと、この収容部４ａの天井部に相当する一対の肩部４ｃと、この肩部４ｃの位置に設けられた係止部４ｄと、収容部４ｂと並設された状態で、本体部４ａの下部に設けられた凹部からなる収納部４ｅと、収容部４ｂと収納部４ｅ間に位置した状態で、本体部４ａの下部に設けられた半円柱状の支承部４ｆと、支承部４ｆの一端側から横方向に延びた状態で、本体部４ａの上面に形成された扇状の操作部４ｇと、収容部４ｂの下部に設けられた支持部４ｈとを有する。
【００３３】
そして、操作部材４の支承部４ｆが絶縁基体１の凹部１ｄ内に係合すると共に、操作部材４の上面がカバー３の上面板３ａの内面に当接して、操作部材４は、絶縁基体１とカバー３間に挟持されて、回動動作可能に保持されている。
この時、支承部４ｆの近傍には、高さの高い固定接点２が配置されると共に、高さの低い固定接点２は、支承部４ｆから遠い位置に配置された状態となっている。
【００３４】
更に、操作部材４の収容部４ｂ内の中央部には、２個の固定接点２が突入した状態となっている。
バネ性ある金属板がＵ字状に折り曲げられて形成された可動接点５は、開放部５ａを設けて互いに対向して配置された帯状の第１，第２の基部５ｂ、５ｃと、互いに間隔を置いて配置され、第１，第２の基部５ｂ、５ｃを連結するＵ字状の第１，第２の連結部５ｄ、５ｅと、この第１，第２の連結部５ｄ、５ｅ間に設けられた孔５ｆと、第１，第２の連結部５ｄ、５ｅ間の孔５ｆ内に位置した状態で、互いに対向するように第１，第２の基部５ｂ、５ｃから突出して設けられたクリップ状の少なくとも２個の第１，第２の接触部５ｇ、５ｈとを有する。
【００３５】
そして、この可動接点５は、第１，第２の接触部５ｇ、５ｈ側を上方にして、操作部材４の横方向から収容部４ｂに収容される。  すると、第１，第２の連結部５ｄ、５ｅの頂部が操作部材４の肩部４ｃに対向すると共に、第１，第２の基部５ｂ、５ｃの下端部が支持部４ｈに掛け止めされて、可動接点５が操作部材４に取り付けられる。
【００３６】
また、可動接点５が操作部材４に取り付けられた際、第１，第２の基部５ｂ、５ｃが第１，第２の接触部５ｇ、５ｈよりも底壁１ａに近い位置に配置されると共に、２個の固定接点２は、第１，第２の基部５ｂ、５ｃ間に位置する開放部５ａを通って第１，第２の接触部５ｇ、５ｈに至るように延びている。
【００３７】
そして、操作部材４が支承部４ｆを支点として回動動作した際、可動接点５は、操作部材４に掛け止めされた状態で、肩部４ｃによって第１，第２の連結部５ｄ、５ｅの頂部が押されて、可動接点５は操作部材４と共に回転動作し、その結果、第１，第２の接触部５ｇ、５ｈは、固定接点２の接点部２ａの延びる方向に上下動して、２個の第１，第２の接触部５ｇ、５ｈのそれぞれが２個の固定接点２の接点部２ａに接離して、２個の固定接点２間をＯＮ状態、或いはＯＦＦ状態にする。
【００３８】
この実施例では、２個の固定接点２間がＯＦＦ時、２個の第１，第２の接触部５ｇ、５ｈのそれぞれが２個の固定接点２から離れた状態となっていて、ＯＮ時に、２個の第１，第２の接触部５ｇ、５ｈのそれぞれが２個の固定接点２に接触するようになっているが、２個の内の一方の第１，第２の接触部５ｇ、５ｈがＯＦＦ時とＯＮ時に、２個の内の一方の固定接点２と常時接触し、２個の内の他方の第１，第２の接触部５ｇ、５ｈが２個の内の他方の固定接点２に接離するようにして、ＯＦＦ状態とＯＮ状態を得るようにしても良い。
【００３９】
捻りコイルバネからなる付勢部材６は、巻回部６ａと、巻回部６ａの両端部に設けられた折り曲げ端部６ｂ、６ｃとを有し、この付勢部材６は、特に、図４に示すように、１つの側壁１ｂと操作部材４の収納部４ｅで囲まれた箇所に収納されて、箱形の絶縁基体１内に配置されている。
【００４０】
そして、この付勢部材６が取り付けられた際、一端部６ｂが底壁１ａの上面に弾接すると共に、他端部６ｃが操作部４ｇの下部に弾接して、操作部４ｇが上面板３ａの孔３ｃから外方に突出した状態で、本体部４ａの上面が上面板３ａの内面にぶつかって、操作部４ｇの上方への移動が停止し、また、付勢部材６によって、操作部材４が常時付勢されて、自動復帰するようになっている。
【００４１】
次に、このような一回路切換の構成を有する本発明のレバー型スイッチの動作を説明すると、操作部材４の未作動時においては、図４，図５に示すように、２個の第１，第２の接触部５ｇ、５ｈが上方に位置して、２個の固定接点２間がＯＦＦの状態となっている。
【００４２】
この状態で、操作部４ｇを矢印Ａ１方向に押圧すると、操作部材４は、付勢部材６に抗して、支承部４ｆを支点として回動動作を行い、図６に示すように、可動接点５は操作部材４と共に回動して、２個の第１，第２の接触部５ｇ、５ｈが固定接点２の延びる方向、即ち、下方に移動して、その結果、可動接点５の２個の第１，第２の接触部５ｇ、５ｈがそれぞれ２個の固定接点２に接触して、固定接点２間がＯＮ状態となる。
【００４３】
次に、図６の状態で、操作部４ｇの矢印Ａ１方向への押圧を解除すると、操作部材４は、付勢部材６によって、図４，図５に示すように、押圧前の状態に自動的に復帰する。
その間において、可動接点５は操作部材４と共に回動して、２個の第１，第２の接触部５ｇ、５ｈが固定接点２の延びる方向、即ち、上方に移動して、その結果、可動接点５の２個の第１，第２の接触部５ｇ、５ｈがそれぞれ２個の固定接点２から離れて非接触状態となって、固定接点２間がＯＦＦ状態となる。
このようにしてレバー型スイッチの操作が行われる。
【００４４】
図７は本発明のレバー型スイッチの可動接点の参考例を示し、この参考例を図７に基づいて説明すると、Ｕ字状に折り曲げられた可動接点５は、開放部５ａを設けて互いに対向して配置された帯状の第１，第２の基部５ｂ、５ｃと、互いに間隔を置いて配置され、第１，第２の基部５ｂ、５ｃの下部を連結する第１，第２の連結部５ｄ、５ｅと、この第１，第２の連結部５ｄ、５ｅ間に位置した状態で、互いに対向するように第１，第２の基部５ｂ、５ｃの上部から突出して設けられたクリップ状の少なくとも２個の第１，第２の接触部５ｇ、５ｈとを有する。
【００４５】
そして、２個の固定接点２は、第１，第２の基部５ｂ、５ｃ間に位置する開放部５ａを通って第１，第２の接触部５ｇ、５ｈに至るように延びている。
その他の構成は、前記実施例と同様であり、ここではその説明を省略する。
【００４６】
【発明の効果】
本発明のレバー型スイッチは、底壁を有する絶縁基体と、底壁の一面から上方に突出した状態で底壁に取り付けられた少なくとも２個の固定接点と、この固定接点に接離可能な可動接点と、この可動接点を操作するための回動動作可能な操作部材とを備え、可動接点は、バネ性ある金属板が折り曲げられて形成され、開放部を設けて互いに対向して配置された第１，第２の基部と、互いに間隔を置いて配置され、第１，第２の基部を連結する第１，第２の連結部と、この第１，第２の連結部間に位置した状態で、互いに対向するように第１，第２の基部から突出して設けられた少なくとも２個の第１，第２の接触部とを備え、固定接点は、第１，第２の基部間に位置する開放部と、第１，第２の接触部間に位置し、回動動作可能に保持された操作部材の操作によって、可動接点が固定接点の延びる方向に上下動して、第１，第２の接触部を介して２個の固定接点間をＯＮ、ＯＦＦするようにした構成とした。
即ち、可動接点の第１，第２の接触部が固定接点の延びる方向に上下動するため、従来に比して横方向に小型化できると共に、第１，第２の接触部が固定接点から上方に逃げるため、２個の固定接点間に接触部が逃げる従来に比して、耐電圧を大きくすることができる。
また、従来のスライド体が不要となって、部品点数が少なく、安価で、生産性が良く、且つ、小型のものが提供できる。
また、第１，第２の接触部で固定接点を挟持して接触するため、その接触が安定し、接触抵抗の少ないものが得られる。
また、可動接点の第１，第２の接触部は、第１，第２の接触部の延びる方向で、固定接点に接触して挟持するため、従来に比して、第１，第２の接触部の変形の少ないものが得られる。
【００４７】
また、可動接点は、第１，第２の連結部がＵ字状に折り曲げられて形成されると共に、第１，第２の連結部間に設けられた孔内には、第１，第２の接触部が配置され、第１，第２の基部が第１，第２の接触部よりも底壁に近い位置に配置されて、固定接点が前記第１，第２の基部の開放部を通って第１，第２の接触部に至るようにしたため、両側に位置する連結部によって接触部が保護され、可動接点の組み立て時における接触部の変形を少なくできる。
【００４８】
また、操作部材の下部には、可動接点を収容するための収容部と、可動接点を掛け止めするための支持部が設けられ、可動接点は、収容部に収容された状態で、支持部に掛け止めされて操作部材に取り付けられたため、可動接点の取付が簡素化できて、組立性の良好なものが得られる。
また、このような構成によって、可動接点の取付が安定し、耐振性の良好な可動接点の取付ができる。
【００４９】
また、操作部材の下部には肩部を有し、この肩部が可動接点の連結部の頂部を押圧するようにしたため、操作部材の動きに追従して、可動接点が確実に可動するものが得られる。
【００５０】
また、操作部材は、付勢部材によって常時付勢され、操作部材の操作時、付勢部材によって操作部材が元の状態の復帰するようにしたため、操作性の簡単なものが得られる。
【００５１】
また、操作部材の下部には、捻りコイルバネからなる付勢部材を収納するための収納部が設けられ、この収納部に収納された捻りコイルバネの一端側が底壁に弾接すると共に、捻りコイルバネの他端側が操作部材に弾接したため、構成の簡単な操作部材の復帰構造が提供できる。
【００５２】
また、高さの異なる２個の固定接点を有したため、接触部の移動量の大きな側に高さの低い固定接点を配置すれば、高さ方向を抑えることができて、小型のものが得られる。
【００５３】
また、底壁には、上方に突出して設けられた台座部と、この台座部の上面に設けられた凹部とを有し、操作部材の下部に設けられた支承部が凹部に係合され、操作部材が支承部を支点として回動動作可能としたため、操作部材の支承構造が簡単で、従来の支持棒が不要となって、安価で、生産性の良好なものが得られる。
【００５４】
また、操作部材は、支承部の一端側から横方向に延びる扇状の操作部を有し、操作部材を取り付けるためのカバーが絶縁基体に取り付けられると共に、カバーに設けられた孔から操作部が外方に突出したため、操作部が１個で済み、従来に比して、横方向に一層、小型化を図ることができる。
【００５５】
また、操作部材の上部がカバーの内面に当接して、操作部材が絶縁基体とカバーとで挟持されて、シーソー動作可能に保持されたため、操作部材の保持が簡単で、安価で、生産性の良好なものが得られる。
【００５６】
また、高さの高い固定接点は、支承部の近傍に配置されれると共に、高さの低い固定接点は、支承部から遠い位置に配置されたため、接触部の移動量の大きな側に高さの低い固定接点を配置できて、高さ方向を抑えることができて、小型のものが得られる。
【図面の簡単な説明】
【図１】本発明のレバー型スイッチに係り、絶縁基体を切り欠きした状態を示す分解斜視図。
【図２】本発明のレバー型スイッチに係り、カバーの上面板を取り去った状態を示す平面図。
【図３】本発明のレバー型スイッチに係り、操作部材の取付状態を示す要部断面図。
【図４】本発明のレバー型スイッチに係り、可動接点と付勢部材の取付状態を示す要部断面図。
【図５】本発明のレバー型スイッチに係り、操作部材の未操作状態を示す動作説明図。
【図６】本発明のレバー型スイッチに係り、操作部材を操作した状態を示す動作説明図。
【図7】  本発明のレバー型スイッチの参考例に係り、可動接点の斜視図。
【図８】従来のシーソー型スイッチの要部断面図。
【図９】従来のシーソー型スイッチの動作を示す断面図。
【図１０】図９の１０−１０線における断面図。
【符号の説明】
１  絶縁基体
１ａ  底壁
１ｂ  側壁
１ｃ  台座部
１ｄ  凹部
１ｅ  掛け止め部
２  固定接点
２ａ  接点部
２ｂ  端子部
３  カバー
３ａ  上面板
３ｂ  側面板
３ｃ  孔
３ｄ  係止片
４  操作部材
４ａ  本体部
４ｂ  収容部
４ｃ  肩部
４ｄ  係止部
４ｅ  収納部
４ｆ  支承部
４ｇ  操作部
５  可動接点
５ａ  開放部
５ｂ  第１の基部
５ｃ  第２の基部
５ｄ  第１の連結部
５ｅ  第２の連結部
５ｆ  孔
５ｇ  第１の接触部
５ｈ  第２の接触部
５ｊ  係止片
６  付勢部材
６ａ  巻回部
６ｂ  端部
６ｃ  端部
【図１】
0004087626.tif 000002
【図２】
0004087626.tif 000003
【図３】
0004087626.tif 000004
【図４】
0004087626.tif 000005
【図５】
0004087626.tif 000006
【図６】
0004087626.tif 000007
【図７】
0004087626.tif 000008
【図８】
0004087626.tif 000009
【図９】
0004087626.tif 000010
【図１０】
0004087626.tif 000011